(57)【要約】【課題】球根野菜の中で特に流動性の悪いラッキョのようなものの大小を、迅速に自動的に選別する。【解決手段】従来より各方面に広く普及している選別ドラム回転式の選別機を利用し、その選別物供給函内に水を注入することにより、選別物を水と共に選別ドラム内に流入させて選別する。【選択図】      図１
0003108891.tif 000002
【実用新案登録請求の範囲】
【請求項１】
球根野菜の選別装置において、選別物を収納するホッパーの底部に出し口を設け、ホッパーの上部に注水管を設け注水により選別物を出し口より流し出し、選別用網ドラムに流し入れることを特徴とする球根野菜の選別装置。
【請求項２】
請求項１記載の球根野菜の選別装置においてホッパー底部の出し口と選別用網ドラムの間に、円板を内部に取り付けた緩衝管を設けたことを特徴とする球根野菜の選別装置。
【考案の詳細な説明】
【技術分野】
【０００１】  本考案は、球根野菜の大小を選別する装置に関するものである。
【背景技術】
【０００２】  球根野菜の大小を選別するものとして、従来より使用されていた方法として、ラッキョのような小形のものは、網の篩による手作業の方法が多用されており、ラッキョを自動的に連続して選別できるものは無かった、馬鈴薯、芋のような大形の球根野菜を選別するものとしては、複数の並列したローラーの隙間を利用し、その隙間の間隔を調整することにより大小の選別をする方式のものが、多種多様に製作され使用されている。【０００３】  球根野菜の大小を精度よく精密に選別するには、重量による選別方法が最適であるためこの方法のものが近年多く使用されるようになっているが、この方式は選別速度が迅速でないため、大形の球根野菜にしか利用できない。
【特許文献】特開平６−２７７６３４
【考案の開示】
【考案が解決しようとする課題】
【０００４】  球根野菜を選別機の選別部に供給する場合に、選別すべき品物が、豆類のように全体が丸く滑り易いものであれば、流動性が良いため、供給、処理、に問題は殆ど発生しないが、ラッキョのように特異な形状のものは、個々が互いに流動の妨害をするため、円滑に流動せず、そのため人手による介助がなければ、目的が達成されない、これがラッキョ選別の自動化を阻止する原因である。
従来のラッキョの大小選別は、篩による人手作業であったため、人手不足の現今において、省力化と能率化が強く要望されている。
【課題を解決するための手段】
【０００５】  本考案は上記問題点を解決するためなされたもので、次の手段を構成する、金属又は合成樹脂等にて製作された網を利用し円筒状のドラムを作り、横向きにして回転させる、この網ドラムの代用として、金属板又は合成樹脂板に無数の孔をあけたパンチング板を利用することも勿論可能であるが、製作費、選別性、製作の難易度等により材料は決定されるこのドラムの孔の径により選別物を落とし選別がなされるため。孔径の異なるドラムを、何段か縦列させて選別の区別をさせる、以上の事柄は従来より一般化された選別技術である。【０００６】  球根野菜の中にあって、ラッキョのみは自動化ができなかった、その原因はラッキョの形状が流動を不能にするためであって、選別部のドラムに、セッキョを送り入れることが困難であった、そこで本発明は選別すべきラッキョを入れた収納函の底部に出し口を設け、る、ラッキョは出し口が有っても出ないため、収納函の中に水を注入し、その水が底の出し口から流出するときラッキョも水と共になって排出され選別ドラムの中に送出される。
この場合に、ラッキョの流出が勢い強く選別ドラムに飛び込むと、選別が完全にできない恐れある、それを防止させるため、出し口の前方に当て板を設けることによりラッキョの突入を停止させ、穏やかにラッキョを選別ドラムの中に入れ選別を完全にさせる。
【考案の効果】
【０００７】  以上のように本案球根野菜の選別装置は、ラッキョのような異常な形状の物も、損傷を与えず能率よく、大小を自動的に選別することができる、そのため人手不足の問題も解決できる効果が発生する、しかも本案は簡単な構成であるため製作が容易であり故障の恐れも無く、又僅かな電力で駆動できるため家庭電力で使用でき、運転音も静粛である、本案の用途はラッキョに限定されたものでなく、色々な物品の選別にも使用可能なことは勿論である。
【考案を実施するための最良の形態】
【０００８】  選別すべき物品を入れたホッパー内に水を注入し、ホッパー底より選別物を水と共に流出させるようにしたホッパーを作製する、ホッパーより流出した物を平均化させる緩衝装置を設け、この緩衝装置を通過した物を回転する網ドラム内に落下させて選別する。
網ドラムの個数は多くする程、選別精度は向上するが、二段乃至三段が好適な個数になるだろう。
【実施例】
【０００９】  以下本考案を図面に基づき詳細に説明する、図１本案球根野菜の選別装置の供給部の側面断面図にして、１はホッパーであって選別すべき選別物２を入れるものである。
ホッパー１の底部はすり鉢状に傾斜しており、その下端は開かれ出し口３になっている選別すべき物が豆のような球状であれば、流動性が良いため問題は無いが、ラッキョのような変形のものは、流動性が極めて悪く自動化が困難であった。
本考案はホッパー１の上部に注水管１１を設け、この注水管１１より水をホッパー１内に注水することにより、選別物２を水と共に出し口３より外部に流し出す方式のため、どのような形状のものも送り出すことが可能である。
空気或いは振動を利用して選別物を送り出すことも可能であるが、非能率であり、損傷を与えるため実際上不適である。
出し口３より水と共に送り出された選別物２は滑樋４の上面を滑走し緩衝管５の中に落下する、緩衝管５は円管であって傾斜して回転しており、内部に円板６が取り付けられている、円板６の直径は緩衝管５の内径より短くしてあるため、その周囲の隙間を水と選別物２が通過する、この隙間が大に過ぎると緩衝効果が低下するため、隙間寸法の決定は重用なことである。
ホッパー１の出し口３より出る選別物２は、正確に平均して居らないが、緩衝管５と円板６の回転作用により、緩衝管５より出る選別物２は平均化され選別効率を良好にする。【００１０】  本考案の選別部は金網を円筒状にして回転させ、金網の隙間に選別物２を通過させることにより選別する方式である、図２は本案球根野菜の選別装置の選別部の概略斜視図にして、８は大きな目の網にて作られた大目網ドラムである、７は小さな目の網にて作られた小目網ドラムである、網ドラムの数は多くするほど選別の精度が多段になり好ましいが、製作に手数を要し、製作費も高価になるため、二段乃至三段が妥当数になる。
小目網ドラム７の内側に大目網ドラム８を設け、この大目網ドラム８の一端に緩衝管５の端部を入れる。
小目網ドラム７及び大目網ドラム８及び緩衝管５は一体に連結されており、緩衝管５のある側を高くして、他側を低く傾斜させて回転させ、網目を通過できない選別物２を回転により下方に移動させ網ドラム外に落下させる、網ドラムの傾斜角度は選別物品の種類及び回転速度によって最適の角度が決定される。
網ドラムを使用した選別装置は従来より広く普及しているため、その選別作用の説明は省略する。【００１１】  図３は本案球根野菜の選別装置の選別部の正面図にて小目網ドラム７及び大目網ドラム８及び緩衝管５及び円板６は連結棒１０により、全部が一体に連結されており、このものは受車輪９の上に乗せられいる。
受車輪９の回転により、その上に乗せられた一体物の小目網ドラム７、大目網ドラム８及び緩衝管５は回転する、受車輪９は小形電動機にて駆動させるが、その説明図は省略する。
本考案はこのような実施例に何等限定されるものでなく本考案の要旨を逸脱しない範囲において種々なる態様で実施し得るは勿論である。
【産業上の利用可能性】
【００１２】  本案の球根野菜の選別装置は、食品に限らずあらゆる分野の選別に利用できるものであるため、その利用範囲は極めて広大なものである。
【図面の簡単な説明】
【００１３】
【図１】本案球根野菜の選別装置の供給部の側面断面図である。（実施例０００９）
【図２】本案球根野菜の選別装置の選別部の概略斜視図である。（実施例００１０）
【図３】本案球根野菜の選別装置の選別部の正面図である。（実施例００１１）
【符号の説明】
【００１４】  １    ホッパー
２    選別物
３    出し口
４    滑樋
５    緩衝管
６    円板
７    小目網ドラム
８    大目網ドラム
９    受車輪
１０  連結棒
１１  注水管
【図１】
0003108891.tif 000003
【図２】
0003108891.tif 000004
【図３】
0003108891.tif 000005